(57)【要約】【課題】部品点数の削減及び金型費のコストを削減して低コスト化を図ることができる電力取出ユニットを提供する。【解決手段】電力取出ユニット１０は、複数の電池セルを直列接続してなるセルモジュールを収容する筐体の一側にねじ止め固定され、隣り合うセルモジュールの総正電極に接続される正極側のバスバー３０と総負電極に接続される負極側のバスバー４０とが取り付けられる一対のバスバー取付部２２Ａ，２２Ｂを有したターミナルベース２０を備え、一対のバスバー取付部２２Ａ，２２Ｂに取り付けられた正極側のバスバー３０と負極側のバスバー４０に外部へ供給する電力を取り出す正極側の取出端子３５と負極側の取出端子４５をそれぞれねじ止めにより締結固定自在にし、一対のバスバー取付部２２Ａ，２２Ｂの両側の下方の位置に筐体に当接して各取出端子３５，４５の締結トルクを受ける支持部２５Ａ，２５Ｂをそれぞれ設けた。【選択図】図３
2019192561.tif 000002
【特許請求の範囲】
【請求項１】
複数の電池セルを直列接続してなるセルモジュールを収容する筐体の一側にねじ止め固定され、隣り合うセルモジュールの総正電極に接続される正極側のバスバーと総負電極に接続される負極側のバスバーとが取り付けられる一対のバスバー取付部を有したターミナルベースを備え、
前記一対のバスバー取付部に取り付けられた前記正極側のバスバーと前記負極側のバスバーに外部へ供給する電力を取り出す正極側の取出端子と負極側の取出端子をそれぞれねじ止めにより締結固定自在にし、
前記一対のバスバー取付部の少なくとも片側の下方の位置に前記筐体に当接して前記各取出端子の締結トルクを受ける支持部を設けたことを特徴とする電力取出ユニット。
【請求項２】
請求項１記載の電力取出ユニットであって、
前記一対のバスバー取付部に正極側のバスバーと負極側のバスバーを上下方向の両方向から取り付けても係止可能な突起をそれぞれ設けたことを特徴とする電力取出ユニット。
【請求項３】
請求項１記載の電力取出ユニットであって、
前記一対のバスバー取付部に同間隔で同形状の突起を両側にそれぞれ一対設け、
前記各一対の突起の位置に合わせて、前記正極側のバスバーと負極側のバスバーに同間隔で同形状の係止孔をそれぞれ設けたことを特徴とする電力取出ユニット。
【発明の詳細な説明】
【技術分野】
【０００１】
本発明は、セルモジュールの一端側に組み付けられ、外部へ供給する電力を取り出す正極側及び負極側の取出端子を有する電力取出ユニットに関する。
【背景技術】
【０００２】
この種の電力取出ユニットとして図５に示すものがある。この電力取出ユニット１は、ターミナルブロックとしての合成樹脂製のターミナルベース２を備えている。このターミナルベース２は、複数の電池セルを直列接続してなる２列のセルモジュールを収容する筐体（いずれも図示省略）の一端側にねじ止め固定され、その前壁の両側には隣り合うセルモジュールの総負電極に接続されるＬ字板状の負極側のバスバー６と総正電極に接続されるＬ字板状の正極側のバスバー７が取り付けられる左右一対のバスバー取付部２Ａ，２Ｂが設けられている。
【０００３】
負極側のバスバー６が取り付けられる左側のバスバー取付部２Ａには、バスバー６の左右一対の小矩形の係止孔６ａ，６ａが係止される左右一対の突起３，３を突設してあると共に、正極側のバスバー７が取り付けられる右側のバスバー取付部２Ｂには、バスバー７の左右一対の大矩形の係止孔７ａ，７ａが係止される左右一対の突起４，４を突設してある。
【０００４】
また、負極側のバスバー６の左右一対の係止孔６ａ，６ａ間の中央には、筐体への固定と図示しない取出端子との接続のための円形のボルト孔６ｂを形成してある。同様に、正極側のバスバー７の左右一対の係止孔７ａ，７ａ間の中央には、筐体への固定と図示しない取出端子との接続のための円形のボルト孔７ｂを形成してある。
【０００５】
さらに、左右一対のバスバー取付部２Ａ，２Ｂの下側は、筐体への固定や取出端子の接続の際に発生する締結トルクを受ける梁構造５，５になっている。
【先行技術文献】
【特許文献】
【０００６】
【特許文献１】特開２０１１−１６５６２８号公報
【発明の概要】
【発明が解決しようとする課題】
【０００７】
しかしながら、前記従来の電力取出ユニット１では、左右一対のバスバー取付部２Ａ，２Ｂの下側が締結トルクを受ける梁構造５，５になっているため、複雑な構造の金型が必要となり、その分、コスト高であった。また、各バスバー６，７の係止孔６ａ，７ａの形状が異なるため、バスバー取付部２Ａ，２Ｂの突起３，４の形状もそれに合わせて作成する必要がある等、電池セルの数違いによるスタック形状に合わせたターミナルベース２が必要不可欠となり、その分、コスト高であった。
【０００８】
そこで、本発明は、前記した課題を解決すべくなされたものであり、部品点数の削減及び金型費のコストを削減して低コスト化を図ることができる電力取出ユニットを提供することを目的とする。
【課題を解決するための手段】
【０００９】
本発明は、複数の電池セルを直列接続してなるセルモジュールを収容する筐体の一側にねじ止め固定され、隣り合うセルモジュールの総正電極に接続される正極側のバスバーと総負電極に接続される負極側のバスバーとが取り付けられる一対のバスバー取付部を有したターミナルベースを備え、前記一対のバスバー取付部に取り付けられた前記正極側のバスバーと前記負極側のバスバーに外部へ供給する電力を取り出す正極側の取出端子と負極側の取出端子をそれぞれねじ止めにより締結固定自在にし、前記一対のバスバー取付部の少なくとも片側の下方の位置に前記筐体に当接して前記各取出端子の締結トルクを受ける支持部を設けたことを特徴とする。
【発明の効果】
【００１０】
本発明によれば、ターミナルベースの形状を簡素化及び共通化することにより、部品点数の削減及び金型費のコストを削減することができ、全体の低コスト化を図ることができる。
【図面の簡単な説明】
【００１１】
【図１】本発明の一実施形態の電力取出ユニットを示す斜視図である。
【図２】上記電力取出ユニットの側面図である。
【図３】上記電力取出ユニットに正負極側の各バスバーを取り付けた状態を示す斜視図である。
【図４】上記正極側のバスバーとセルモジュールの総正極電極の接続状態を示す説明図である。
【図５】従来の電力取出ユニットの斜視図である。
【発明を実施するための形態】
【００１２】
以下、本発明の一実施形態を図面に基づいて説明する。
【００１３】
図１は本発明の一実施形態の電力取出ユニットを示す斜視図、図２は同電力取出ユニットの側面図、図３は同電力取出ユニットに正負極側の各バスバーを取り付けた状態を示す斜視図、図４は同正極側のバスバーとセルモジュールの総正極電極の接続状態を示す説明図である。
【００１４】
図１〜図４に示すように、電力取出ユニット１０は、複数の電池セル１３を直列接続してなる少なくとも２列のセルモジュール１２を収容するケース（筐体）１１の一端側（一側）にねじ止め固定され、隣り合うセルモジュール１２の総正電極１４に接続されるＬ字板状の正極側のバスバー３０と総正電極１４と反対側に位置する図示しない総負電極に接続されるＬ字板状の負極側のバスバー４０とが取り付けられる左右一対のバスバー取付部２２Ａ，２２Ｂを有したターミナルブロックとしての合成樹脂製のターミナルベース２０を備えている。
【００１５】
図１〜図３に示すように、ターミナルベース２０は、天井壁２１と前壁２２とで側面Ｌ字状に形成されていて、前壁２２の両側に左右一対のバスバー取付部２２Ａ，２２Ｂが設けられている。この左右一対のバスバー取付部２２Ａ，２２Ｂには、正極側のバスバー３０と負極側のバスバー４０を上下方向の両方向から取り付けても係止可能な各左右一対の突起２３，２３をそれぞれ一体突出形成してある。この各左右一対の突起２３，２３は同間隔で同形状に形成されている。即ち、各突起２３は、平坦部２３ａを挟んで上下に各バスバー３０，４０の係止孔が係止されるテーパ部２３ｂ，２３ｃを有している。
【００１６】
また、左右一対のバスバー取付部２２Ａ，２２Ｂの両側には、各一対の突起２３，２３とで各バスバー３０，４０の挿入（装着）位置を保持して規制する各一対の規制片部２４，２４を一体突出形成してある。さらに、一対のバスバー取付部２２Ａ，２２Ｂの各一対の規制片部２４，２４の下方の位置には、ケース１１に当接して後述する取出端子３５，４５のねじ止め時の締結トルクを受ける各一対の支持部２５Ａ，２５Ａ、２５Ｂ，２５Ｂをそれぞれ一体突出形成してある。各支持部２５Ａ，２５Ｂは断面逆Ｕ字状に形成されていて、ケース１１の一部に切り欠かれた各係止部１１ａをそれぞれ挟持するようになっている。
【００１７】
図３に示すように、正極側のバスバー３０の左側のバスバー取付部２２Ａの一対の突起２３，２３に対向する位置には、一対の矩形の係止孔３１，３１を形成してある。また、一対の係止孔３１，３１間の中央には、ケース１１への固定と取出端子３５との接続のための円形のボルト孔３２を形成してある。同様に、負極側のバスバー４０の右側のバスバー取付部２２Ｂの一対の突起２３，２３に対向する位置には、一対の矩形の係止孔４１，４１を形成してある。また、一対の係止孔４１，４１間の中央には、ケース１１への固定と取出端子４５との接続のための円形のボルト孔４２を形成してある。各一対の突起２３，２３の位置に合わせて、正極側のバスバー３０の一対の係止孔３１，３１と負極側のバスバー４０の一対の係止孔４１，４１は同間隔で同形状にそれぞれ形成されている。
【００１８】
そして、図３に示すように、一対のバスバー取付部２２Ａ，２２Ｂに取り付けられた正極側のバスバー３０のボルト孔３２と負極側のバスバー４０のボルト孔４２には、外部へ供給する電力を取り出す正極側の取出端子３５と負極側の取出端子４５をそれぞれ各ボルト３８，４８と各ナット３９，４９を介して締結固定されるようになっている。
【００１９】
尚、図１に示すように、ターミナルベース２０の左側のバスバー取付部２２Ａの中央には切欠き部２６が形成されていて、下方より正極側のバスバー３０が装着されて一対の突起２３，２３に係止されるようになっている。この正極側のバスバー３０は隣り合うセルモジュール１２の総正電極１４に溶接にて接続される。また、ターミナルベース２０の右側のバスバー取付部２２Ｂの中央には矩形の開口部２７が形成されていて、上方より負極側のバスバー４０が装着されて一対の突起２３，２３に係止されるようになっている。この負極側のバスバー４０は隣り合うセルモジュール１２の総正電極１４と反対側に位置する図示しない総負電極に溶接にて接続される。さらに、各取出端子３５，４５には電線３６，４６が電気的に接続されている。
【００２０】
以上実施形態の電力取出ユニット１０によれば、ターミナルベース２０の一対のバスバー取付部２２Ａ，２２Ｂに、正極側のバスバー３０と負極側のバスバー４０とが上下の両方向から挿入されても係止可能な一対の突起２３，２３を一体突出形成して、その形状を共通化することにより、部品点数の削減及び金型費のコストを削減することができ、全体の低コスト化を図ることができる。
【００２１】
また、ターミナルベース２０の一対のバスバー取付部２２Ａ，２２Ｂの両側の下方の位置に、ケース１１に当接して各取出端子３５，４５の締結トルクを受ける一対の支持部２５Ａ，２５Ａ、２５Ｂ，２５Ｂを一体突出形成して、その形状を簡素化をすることにより、部品点数の削減及び金型費のコストを削減することができ、全体の低コスト化を図ることができる。
【００２２】
尚、前記実施形態によれば、バスバー取付部に上下方向よりバスバーを装着したが、バスバー取付部に左右方向よりバスバーを装着するようにしても良い。
【符号の説明】
【００２３】
１０  電力取出ユニット
１１  ケース（筐体）
１２  セルモジュール
１３  電池セル
１４  総正電極
２０  ターミナルベース（ターミナルブロック）
２２Ａ，２２Ｂ  一対のバスバー取付部
２３，２３  一対の突起
２５Ａ，２５Ａ  一対の支持部
２５Ｂ，２５Ｂ  一対の支持部
３０  正極側のバスバー
３１，３１  一対の係止孔
３５  正極側の取出端子
３８  ボルト（ねじ）
４０  負極側のバスバー
４１，４１  一対の係止孔
４５  負極側の取出端子
４８  ボルト（ねじ）
【図１】
2019192561.tif 000003
【図２】
2019192561.tif 000004
【図３】
2019192561.tif 000005
【図４】
2019192561.tif 000006
【図５】
2019192561.tif 000007